(57)【要約】【課題】表示装置への装着安定性に優れ、さらに装着後に画面に表示された情報を見えにくくするようなことのない光学フィルタ用取付具およびそれを用いて光学フィルタが取り付けられた表示装置を提供する。【解決手段】フラットパネルディスプレイに取り付ける光学フィルタの取付具であって、該取付具には反射防止層を備えている。【選択図】  図１
2004287344.tif 000002
【特許請求の範囲】
【請求項１】
フラットパネルディスプレイに取り付ける光学フィルタの取付具であって、該取付具は反射防止層を備えていることを特徴とする光学フィルタ用取付具。
【請求項２】
フイルムを基材とする、請求項１に記載の光学フィルタ用取付具。
【請求項３】
前記のフイルム基材は光透過性を有し、曇値が１５％以下である、請求項１または２に記載の光学フィルタ用取付具。
【請求項４】
反射防止層はコーティングより形成されている、請求項１〜３のいずれかに記載の光学フィルタ用取付具。
【請求項５】
該取付具の少なくとも一部に接着層が設けられた請求項１〜４のいずれかに記載の光学フィルタ用取付具。
【請求項６】
請求項１〜５のいずれかに記載の光学フィルタ用取付具によって光学フィルタが取り付けられていることを光学フィルタ付き表示装置。
【請求項７】
光学フィルタ用取付具と表示装置とは表示領域以外の部分で接着層を介して接着されている請求項６記載の光学フィルタ付き表示装置。
【請求項８】
光学フィルタ用取付具が表示装置の筐体と同色または同系色である請求項６に記載の光学フィルタ付き表示装置。
【発明の詳細な説明】
【０００１】
【発明の属する技術分野】
本発明は、パソコンや各種映像機器に用いられる表示装置用の光学フィルタを取り付けるための光学フィルタ用取付具およびそれを用いて光学フィルタが取り付けられた表示装置に関する。
【０００２】
【従来の技術】
パソコンや各種映像機器に用いられる表示装置にはＣＲＴ（陰極線管）や液晶が多用されているが、これらの表示装置の画面は照明光などを反射しやすいために、その表示面に周囲の景色が映り込み、表示画像が見え難くなる不具合がある。このような表示装置の不具合を解消し、表示画面の反射防止やコントラスト向上、あるいは静電気を低減することを目的として、種々の表示装置用光学フィルタが提案され、提供されている。
【０００３】
表示装置用光学フィルタの中で特に液晶画面を有する表示装置に用いるものとして、光学フィルタを表示装置の液晶画面に装着する取付具が考案されている（特許文献１）が、近年の表示装置は薄型化が進み、液晶画面と表示装置筐体の段差が小さくなっいる。さらにノート型パソコンのように表示装置を折りたたみ収納することができる機種においては、折りたたみ時に取付具が表示面と操作面の間の隙間がほとんどなく、取付具がこの隙間に入ることにより、表示面または操作面にキズなどが発生していた。さらには折りたたみ収納ができない、問題点があった。
【０００４】
また、表示装置筐体と液晶画面の段差が小さい装置に光学フィルタを装着する際に、表示画面に両面テープ等で直接貼り付けたりしているものがあるが
両面テープ表層の光沢によって情報が表示された画面を覆ってしまい、情報を一部見えにくくしてなっている問題点があった。
【０００５】
さらに、最も簡易的な取付方法として、光学フィルタを液晶画面に装着したのち、表示装置筺体表面から光学フィルタにかけて、透明テープなどで固定しているものあるが、この透明テープの表面に光沢があり、室内照明光の反射によって、情報が見えにくくなっている問題点があった。
【０００６】
【特許文献１】
特開平１１−３０５０９５号公報
【０００７】
【発明が解決しようとする課題】
本発明は、かかる問題点に鑑みてなされたものであり、表示装置への装着安定性に優れ、交換が簡便であり、さらに装着後の表示画面の視認性に優れた光学フィルタ用取付具およびそれを用いて光学フィルタが取り付けられた表示装置を提供することを目的とする。
【０００８】
【課題を解決するための手段】
上記課題を解決するため、本発明は下記の構成を有する。すなわち、
（１）フラットパネルディスプレイに取り付ける光学フィルタの取付具であって、該取付具は反射防止層を備えていることを特徴とする光学フィルタ用取付具、
（２）フイルムを基材とする、前記（１）に記載の光学フィルタ用取付具、
（３）前記のフイルム基材は光透過性を有し、曇値が１５％以下である、前記（１）または（２）に記載の光学フィルタ用取付具、
（４）反射防止層はコーティングより形成されている、前記（１）〜（３）のいずれかに記載の光学フィルタ用取付具、
（５）該取付具の少なくとも一部に接着層が設けられた前記（１）〜（４）のいずれかに記載の光学フィルタ用取付具、
（６）前記（１）〜（５）のいずれかに記載の光学フィルタ用取付具によって光学フィルタが取り付けられていることを光学フィルタ付き表示装置、
（７）光学フィルタ用取付具と表示装置とは表示領域以外の部分で接着層を介して接着されている前記（６）記載の光学フィルタ付き表示装置、
（８）光学フィルタ用取付具が表示装置の筐体と同色または同系色である前記（６）に記載の光学フィルタ付き表示装置、である。
【０００９】
【発明の実施の形態】
次に本発明の好ましい実施の形態を図面を用いて説明する。
【００１０】
図１は、本発明の光学フィルタ用取付具を用いて光学フィルタを表示装置であるノート型パソコンの表示画面に取り付けた一実施例を示す斜視図、図２は、図１に示した光学フィルタの取付部の拡大断面図、図３は、図１に示した光学フィルタ用取付具の拡大正面図、図４は、図１に示した光学フィルタ用取付具の拡大側面図、図５は本発明に係る別な態様の光学フィルタ用取付具を用いた実施例を示す斜視図、図６は図５に示した光学フィルタ用取付具の拡大正面図、図７は別な態様の光学フィルタ用取付具の例を示す拡大正面図である。
【００１１】
本発明においては、防眩性やコントラスト向上等の機能を有する光学フィルタと、該光学フィルタ基板を装着する為の取付具とを用いて表示装置に光学フィルタを固定する。
【００１２】
本発明において、光学フィルタとしては、ガラスやアクリル、ポリカーボネイトなどの透明な材料基板に、蒸着やスパッタなどで反射防止膜や透明導電膜等を形成したもので、従来公知のフィルタ基板を好適に用いることができ、特に限定されるものでは無い。
【００１３】
図１において、光学フィルタは、表示装置の画面部の縦横寸法とほぼ同じか若干小さい寸法でトリミングされており、画面部に嵌め込まれた状態となっている。
【００１４】
取付具は、図２に一例を示す様に、光学フィルタを支えるための支え部、光学フィルタを表示装置へ取り付ける取付部と照明光による反射を防ぐ反射防止層を備えている。
【００１５】
本発明において、反射防止層は少なくとも表示装置側とは反対側の面に付与されていることが好ましい。
【００１６】
反射防止層は、ほぼ厚みを均一にして形成できる蒸着法やウエットコーテングなどを用い形成することが好ましい。少量生産に対応する方法として、透明インクを用いシルク印刷によりを施すことにより、反射防止層をフィルム表層にコーティング付与することもできる。さらに、最も簡易的に反射防止層を形成する手段として透明アクリル系樹脂を噴霧しコーティングすることもできる。このコーティング方法については目的に応じて種々の方法を採用しうる。
【００１７】
反射防止層を具備することによって、表示装置の設置環境の変動に影響されず、すなわち、表示装置表面に照明光などがあたっても、取付具からの反射が抑制されるので安定して表示画面の視認性が良好となる。
【００１８】
本発明の光学フィルタ用取付具の形状としては、図３および図４に詳細を示す様な板形状のほか、多角形状や円形状など、フィルタ基板が表示画面から落下しないように支えられる形状であれば良く、特に板形状のかたちに限定されるものではない。
【００１９】
光学フィルタ用取付具の基材の材質としては、塩化ビニルやポリカーボネイト、ＡＢＳ（アクリロニトリル−ブタジエン−スチレン共重合体）、等々の様々な合成樹脂を用いることが出来るが、光学フィルタの表層に取付具が係合することが発明の形態であるので、取付具を薄く形成可能な、ポリエチレンやＰＥＴ（ポリエチレンテレフタレート）等のポリオレフィン系樹脂が好ましい。特に曇価２％以下を有するＰＥＴが最も好ましい。
【００２０】
また、光学用フィルタ用取付具の基材は光透過性を有していることが好ましい。光透過性を有していれば、支え部によって画面に表示されている情報を覆ってしまった場合でも、情報が見えにくくならない。
【００２１】
また、光学フィルタ用取付具の基材としては、フィルム状あるいはシート状の薄板状の形状であることが好ましく、厚みとしては、光学フィルタが支持できれば特に制限はないが、安定に取り付けることができる点で、０．１ｍｍ以上の厚みを有していることが好ましい。係る範囲とすることで、フィルター基板を支える剛性が十分であり、かつ、支え部の面積を小さくできて、表示領域の視認性を向上できる。上限としては特に制限はないが、持ち運び可能な表示装置では折り畳んで収納するものもあり、折り畳み時の障害となる可能性があるので、１ｍｍ程度以下とすることが適当である。
【００２２】
また、本発明の光学フィルタ用取付具は表示装置の筺体と同色または同系色であることが好ましく、表示装置に装着した際に違和感が生じず、美観に優れたものとすることができる。
【００２３】
ここで、本発明の取付具について別の一態様を図５に示す。これは押え部が複数設けられているものである。
【００２４】
図５は光学フィルタ用取付具（本体）を光学フィルタの４辺に設けた態様を示している。このように配置すれば、光学フィルタの長辺部の荷重を受けられるので、個々の支え部にかかる負担を少なくできることに加え、光学フィルタを囲む形状となり、安心感を得ることができる。加えて、光学フィルタの自重による撓みなどによってある程度変形しても表示装置から光学フィルタが抜け落ちたりしにくい。
【００２５】
表示装置への取付に際しては、両面テープなどの接着層を介して行うことが好適である。両面テープを使用する場合は、一般に市販されているものを用いて差し支えないが、両面テープが貼着される場所は不特定の表示装置の表示画面周辺であり、表示装置の機種によっては溝加工やシボ加工等が施されている場合も想定できる為、接着層はある程度の厚みを持っていてスポンジのごとく弾性変形できるようなものが好ましい。ノート型パソコンのように表示画面を折り畳み収納できる機種によっては、溝加工やシボ加工等が深く施されていないので弾性変形できる両面テープでは、折り畳み時に障害となる場合がある。この場合は薄い両面テープが好適である。特に表示装置のデザインを損なわないように透明な両面テープが最も好ましい。
【００２６】
本発明の光学フィルタ取付具を用いれば、簡便、容易に光学フィルタを多種多様な表示装置に装着することが可能である。表示装置としては、例えば、ＣＲＴディスプレイモニターやデスクトップ型の液晶ディスプレイモニター、ノート型パソコン、モバイルギア等が挙げられるが、中でも、装着する表示画面が平坦な点で、液晶を用いた表示装置に適用することが好ましい。更に、本発明の取付具形態が簡素であり、体積も小さく折り畳んでも障害とならないので、携帯に適したノート型パソコンに最も好適に用いられる。また、表示装置の使用においては一般的に蛍光灯下や自然光等により取付具を照らし、取付具表面が反射することが想定できる為、取付具に反射防止層を備えている事で眩しさが軽減され気にならない。
【００２７】
【実施例】
実施例１
以下、実施例を挙げて具体的に説明するが、本発明は係る実施例に限定される訳ではない。
【００２８】
図１は、本発明の光学フィルター及びその取付具を表示装置であるノート型パソコンの表示画面部に取り付けた一実施例を示す斜視図である。ノート型パソコンはＣＦ−Ｒ１（松下電器株式会社製）を用いた。該パソコンの表示画面サイズは一般に１０．４型と呼ばれているものである。
【００２９】
フィルター基板は商品名Ｅフィルターｎｏｔｅ（東レ株式会社製）のフィルター基板を使用した。該フィルター基板は０．８ｍｍ厚みのポリカーボネイト板に反射防止膜を蒸着加工によって形成した。
【００３０】
フィルター基板の寸法は縦１５９ｍｍ、横２１２ｍｍのものを使用し、ノート型パソコンの画面部に大きな隙間が出来ることなく、嵌め込める寸法とした。
【００３１】
フィルター基板を表示装置に装着する為の取付具は、形状の詳細を図３、図４に示す様に、支え部７の短辺が１０ｍｍ、長辺が２０ｍｍ、高さが１２ｍｍで表示部にかかる部分は曲率５ｍｍ面取りを施し、パソコン筺体へ取り付ける取付部の角は曲率０．５ｍｍとした形状で厚み１８８μｍのＰＥＴフイルムとした。
【００３２】
表示画面周辺フレームへの取付部は、支え部の長辺から高さ７ｍｍまでの部分に両面テープ８貼り付けとした。
【００３３】
支え部７の材料にはＰＥＴフイルムで、反射防止層９はコーティング方式で付与されているＫＢフィルム（株式会社きもと製）を用いた。表示装置３への取付部には両面テープＮｏ．４５２８（住友スリーエム株式会社製）を用いた。取付具１個あたりの両面テープの寸法は長辺２０ｍｍ、幅７ｍｍとした。
【００３４】
上述した通りに構成した本発明の取付具をフィルター基板の表示画面短辺部各２ヶ所合計４カ所に設けた。
【００３５】
本パソコンを用いてワープロ作業を実施したが、表示画面に表示されている情報は本発明の取付具によって見えにくくなることもなく取付具による照明光反射が抑えられ、光学フィルタの防眩機能やコントラスト向上機能等により快適なＶＤＴ作業を実施できた。次いで、ノート型パソコンは表示画面を折り畳んで本体に収納する必要があったが、光学フィルタを表示画面に装着したまま、何ら問題なく収納（開閉）することができた。
【００３６】
実施例２
図５は、本発明の光学フィルター用取付具を用いて、光学フィルターを表示装置であるノート型パソコンの表示画面部に取り付けた別の一実施例を示す斜視図である。
【００３７】
ノート型パソコンは表示画面サイズが一般に１４．１型と呼ばれているものを用いた。表示画面サイズの大型化により、ノート型パソコン表示画面の開閉時にフィルタ基板５が表示画面長辺部中央付近で撓みフィルタ基板５が脱落する恐れがあったために、取付具２を表示画面の長辺部各１カ所を追加し合計６カ所に設けた。図６および図７の取付具へも実施例１に記載の反射防止層および表示画面フレームに取り付ける接着層を備え、表示画面を覆う面積を小さくした取付具２を用い、ワープロ作業を実施したが、実施例１と同様に何ら問題なく使用することができた。また、取付具２を図３および図４に示す形状として同様に評価したが、実施例１と同様に何ら問題なく使用することができた。
【００３８】
【発明の効果】
以上説明したように、本発明の光学フィルタ用取付具を用いることで、表示装置の如何を問わず装着安定性に優れ、容易に装着、収納でき、しかも画面の視認性に何ら悪影響を与えないという優れた効果を発揮することが明らかである。
【図面の簡単な説明】
【図１】本発明に係る光学フィルタ用取付具を用いて光学フィルターを表示装置であるノート型パソコンに取り付けた一態様を示す概略斜視図である。
【図２】実施例１に係る光学フィルタの取付部分の拡大断面図である。
【図３】実施例１に係る光学フィルタ用取付具の拡大正面図である。
【図４】実施例１に係る光学フィルタ用取付具の側面図である
【図５】本発明に係る光学フィルタ用取付具を用いて光学フィルターを表示装置であるノート型パソコンに取り付けた別な一態様を示す概略斜視図である。
【図６】本発明の光学フィルタ用取付具の別の一態様の拡大正面図である。
【図７】本発明の取付具の更に別な光学フィルタ用取付具の態様の拡大正面図である。
【符号の説明】
１：光学フィルタ
２：取付具
３：表示装置
４：表示画面周辺フレーム
５：フィルタ基板
６：表示画面
７：光学フィルタ支え部
８：表示装置への取付部
９：反射防止層
【図１】
2004287344.tif 000003
【図２】
2004287344.tif 000004
【図３】
2004287344.tif 000005
【図４】
2004287344.tif 000006
【図５】
2004287344.tif 000007
【図６】
2004287344.tif 000008
【図７】
2004287344.tif 000009